【手続補正書】
【提出日】平成19年6月7日(2007.6.7)
【手続補正１】
【補正対象書類名】明細書
【補正対象項目名】全文
【補正方法】変更
【補正の内容】
【書類名】    明細書
【発明の名称】  排泄物測定装置
【特許請求の範囲】
【請求項１】  トイレ内で用便行為により得られた使用者の排泄物の成分を測定する排泄物測定装置において、排泄物に含まれる成分を分析する機能を有する測定機と、便器に取り付けられ、前記測定機に送出される尿を採取する採尿器とを備えると共に、前記採尿器は、尿を採取する採尿皿と前記採尿皿を移動させる採尿アームを有し、前記採尿器を便器に係止する取付部と前記採尿アームを着脱可能に接続する連結機構を設けたことを特徴とする排泄物測定装置。
【請求項２】  トイレ内で用便行為により得られた使用者の排泄物の成分を測定する排泄物測定装置において、便器に対して非固定であり、排泄物に含まれる成分を分析する機能を有する測定機と、便器及び前記測定機の双方に取り付けられ、前記測定機に送出される尿を採取する採尿器とを備えると共に、前記採尿器は、尿を採取する採尿皿と前記採尿皿を移動させる採尿アームと前記採尿器を便器に係止する取付部を有し、前記測定機と前記採尿器とを着脱可能に接続する連結機構を前記取付部と測定機の間に設けたことを特徴とする排泄物測定装置。
【発明の詳細な説明】
【０００１】
【発明の属する技術分野】
本発明は、トイレ内で採取した尿の成分を測定する排泄物測定装置に関する。
【０００２】
【従来の技術】
従来、特開平７−１９８６６０号に見られるものを詳述すると、以下の通りである。
トイレ内で用便行為により得られた使用者の排泄物の成分を測定する排泄物測定装置は、便器に非固定の排泄物に含まれる成分を分析する機能を有する測定機と、便器に取り付けられる採尿器とを備え、採尿器は便器リムに係止され、両者は可撓性のある部材によって結合されると共に、測定機によって採尿器内部の駆動手段が制御されるように構成されている。
【０００３】
【発明が解決しようとする課題】
従来の排泄物測定装置では、使用者の採尿動作およびトイレの実使用によって採尿器を洗浄する必要がある。しかし、洗浄能力には限界があり測定精度と動作信頼性を両立させるためには、採尿器の定期的な交換が必要であるが、採尿器内部には駆動手段が組み込まれているため交換に手間を要するだけでなく費用的にも大きな負担となってしまう場合がある。
本発明は、上記課題を解決するためになされたもので、本発明の目的は、使用者の採尿動作およびトイレの実使用によって採尿器が汚れた場合に、使用者に手間と費用に関する大きな負担を課すことなく採尿器を容易に交換可能とする排泄物測定装置を提供することにある。
【０００４】
【課題を解決するための手段】
上記目的を達成するために請求項１は、トイレ内で用便行為により得られた使用者の排泄物の成分を測定する排泄物測定装置において、排泄物に含まれる成分を分析する機能を有する測定機と、便器に取り付けられ、前記測定機に送出される尿を採取する採尿器とを備えると共に、前記採尿器は、尿を採取する採尿皿と前記採尿皿を移動させる採尿アームを有し、前記採尿器を便器に係止する取付部と前記採尿アームを着脱可能に接続する連結機構を設けたことを特徴とするので、使用者の採尿動作およびトイレの実使用によって採尿器が汚染された場合に、使用者に手間と費用に関する大きな負担を課すことなく採尿器を容易に交換可能とし、排泄物の測定精度と使用者の動作信頼性を確保しつつ、使用者に手間と費用に関する大きな負担を課すことがない。また、使用者の採尿動作およびトイレの実使用によって汚染されやすい部分のみの交換が可能である。また各種形状が存在する便器毎に、採尿皿位置を排尿位置に設定できるよう複数の採尿皿部を準備することが容易である。
なお、この着脱自在な連結機構は、１つだけ設けてもいいし、複数設けるようにしてもいい。
【０００５】
請求項２では、トイレ内で用便行為により得られた使用者の排泄物の成分を測定する排泄物測定装置において、便器に対して非固定であり、排泄物に含まれる成分を分析する機能を有する測定機と、便器及び前記測定機の双方に取り付けられ、前記測定機に送出される尿を採取する採尿器とを備えると共に、前記採尿器は、尿を採取する採尿皿と前記採尿皿を移動させる採尿アームと前記採尿器を便器に係止する取付部を有し、前記測定機と前記採尿器とを着脱可能に接続する連結機構を前記取付部と測定機の間に設けたことを特徴とするので、使用者の採尿動作およびトイレの実使用によって採尿器が汚染された場合に、使用者に手間と費用に関する大きな負担を課すことなく採尿器を容易に交換可能とし、排泄物の測定精度と使用者の動作信頼性を確保しつつ、使用者に手間と費用に関する大きな負担を課すことがない。また、同一の採尿器を使用して、複数の種類の測定機を交換取付することが可能である。
【０００６】
【０００７】
【０００８】
【０００９】
【発明の実施の形態】
図１は本発明の一の実施例における排泄物測定装置の測定停止状態を示す斜視図である。
排泄物測定装置は、便器１で排泄される尿などを採取する採尿器２と、便器１の近くに設置され、採取された尿を吸引してきてその成分を測定する測定機５とで構成される。
便器１に係止される採尿器２は、便器リム１−ａの上面に配置される取付部２−ａ、採尿アーム２−ｂ、および、採尿皿２−ｃによって構成されている。採尿器２は少なくとも１つ以上の回動部３をヒンジとして、支持部材４を介して、使用者が排泄した排泄物を吸引すると共に、その成分を分析する測定機５に連結されている。支持部材４と測定機５の間には、測定機５に向かって左右に移動が可能なレール機構６が形成されている。レール機構６によって採尿器２と測定機５の相対位置を変更可能であるため、使用者は測定機の位置を自分自身の左右どちらにも配置可能であるし、足の位置に測定機５が干渉しないようにトイレの奥行き方向の配置を変更することも可能であり、排泄物測定装置を設置することによる使用者のトイレ使い勝手が悪くなることを極力低減することができる。
支持部材４はその途中に長さを変更できるための調節機構７が形成されている。
取付部２−ａの厚さは、便器リム１−ａとその便器リムに当接する図示しない裏面に緩衝部材を設けた便座の空隙間隔寸法以下の高さで構成されている。取付部２−ａは図示しない便座の緩衝用部材の間で干渉しない位置に配置すれば、便座の座面位置が取付部２−ａの高さによって上がることがなく、使用者が便座に座るときの座り勝手が変化することがない。採尿器２と測定機５の間は必要最低限の長さとなるから、排泄物を吸引するポンプの容量に余裕を確保する必要がなく、吸引する排泄物の量も最低限で良い。さらに、測定機５をコンパクトにできるだけでなく、測定に要する時間の低減や測定精度の向上が計れる。
【００１０】
操作つまみ８と採尿アーム２−ｂは図示しない自在軸機構で連結されており、操作つまみ８の回動によって、採尿アーム２−ｂも回動し採尿皿２−ｃを使用者の排泄物の排出される経路に移動させることができる。本例では測定機５に設けられた操作つまみ８を使用者が手動で動かす例を示したが、駆動手段としては手動だけでなく測定機５の内部に設けられた電動機等であっても、採尿器２を単純にして動作信頼性を向上させるという同じ効果が得られる。図１では、採尿皿２−ｃは便器１の略開口位置に配されている状態を示しているが、これは使用者が測定を行う前の原点位置であり、手動で採尿アーム２−ｂを回動させる場合に操作つまみ８から手を離すと戻る位置である。この位置で採尿皿２−ｃが停止していると、採尿皿２−ｃが便器１内に停留することがなく、使用者の用便行為の邪魔になったり、その用便行為によって採尿器２が破損したりする恐れがない。
【００１１】
図２は本発明の実施例における採尿器の着脱構造を示す概略平面図である。
採尿皿２−ｃは採尿アーム２−ｂに固定され、便器リム１−ａに係止された取付部２−ａで支持されている。採尿アーム２−ｂは回動中心２−ｄの周囲で回動動作を行い、使用者が排泄した尿の排出経路に移動する。使用者が排泄した尿は、採尿皿２−ｃで受けられた後、採尿アーム２−ｂを介して図示せぬポンプにて吸引され、着脱自在な連結機構９を経由して測定機５に移送される。連結機構９と採尿アーム２−ｂは、採尿アーム２−ｂ自体の持つ剛性によって固定されている。
本例では連結機構９が採尿アーム２−ｂに連結されており、採尿皿２−ｃから測定機５への送尿経路と、測定機５から採尿器２への駆動力伝達経路が、共に連結機構９により連結されていることになる。すなわち、採尿アーム２−ｂの基端部が測定機側の尿経路に対して、採尿アーム２−ｂ内の流路が測定機側の尿経路と連通状態となるように、また採尿アーム２−ｂが測定機側の尿経路の回動動作をそのまま伝達可能な状態に、連結されているのである。
採尿皿２−ｃと採尿アーム２−ｂは採尿行為自体だけでなく、トイレを使用するという行為自体で各種排泄物によって汚れる恐れがあるが、簡便に着脱できる連結機構９によって取付部２−ａに固定されているため、必要に応じて洗浄行為のために取り外したりすることが容易であり、付着した各種排泄物による汚染で測定値の精度に誤差が発生したり、駆動動作自体の信頼性が低下する恐れを未然防止することが可能である。また採尿アーム２−ｂの形状は便器１の外形形状によって複数種類準備する必要があるが、簡便な着脱行為によって変更できるため、便器１の種類毎に測定機５を含めた一式を準備する必要がなく、採尿アーム２−ｂのみの交換で各種形状の便器に対応することが可能である。
【００１２】
図３は本発明の実施例における採尿器の、上記とは別の着脱構造を示す平面図である。前述の例と同じ構成は同じ符号を付し、その説明を省いている。
図２の例は着脱自在な連結機構９を採尿アーム２−ｂと取付部２−ａの間にある例を示したが、この例では取付部２−ａと測定機５の間に設けている。すなわち、便器１の外側に着脱自在な連結機構９を設けている。
この例でも、採尿アーム２−ｂの基端部が測定機側の尿経路に対して、採尿アーム２−ｂ内の流路が測定機側の尿経路と連通状態となるように、また採尿アーム２−ｂが測定機側の尿経路の回動動作をそのまま伝達可能に、連結され、採尿皿２−ｃから測定機５への送尿経路と、測定機５から採尿器２への駆動力伝達経路が、共に連結機構９により連結されていることになる。
採尿部分を必要に応じて洗浄行為のために取り外したりすることが容易であり、付着した各種排泄物による汚染で測定値の精度に誤差が発生したり、駆動動作自体の信頼性が低下する恐れを未然防止するという目的に対して、着脱機構９の位置はどちらを選択しても良い。図２の例では交換部品が少なく費用負担が少ないという利点があるが、図３の例では使用者の排泄物で汚染された部分に直接触れる必要がないため、より衛生的であるという利点がある。
【００１３】
【発明の効果】
本発明は上記構成により次の効果を発揮する。
請求項１では、トイレ内で用便行為により得られた使用者の排泄物の成分を測定する排泄物測定装置において、排排泄物に含まれる成分を分析する機能を有する測定機と、便器に取り付けられ、前記測定機に送出される尿を採取する採尿器とを備えると共に、前記採尿器は、尿を採取する採尿皿と前記採尿皿を移動させる採尿アームを有し、前記採尿器を便器に係止する取付部と前記採尿アームを着脱可能に接続する連結機構を設けたので、使用者の採尿動作およびトイレの実使用によって採尿器が汚染された場合に、使用者に手間と費用に関する大きな負担を課すことなく採尿器を容易に交換可能とし、排泄物の測定精度と使用者の動作信頼性を確保しつつ、使用者に手間と費用に関する大きな負担を課すことがない。また、使用者の採尿動作およびトイレの実使用によって汚染されやすい部分のみの交換が可能である。また各種形状が存在する便器毎に、採尿皿位置を排尿位置に設定できるよう複数の採尿皿部を準備することが容易である。
【００１４】
請求項２では、トイレ内で用便行為により得られた使用者の排泄物の成分を測定する排泄物測定装置において、便器に対して非固定であり、排泄物に含まれる成分を分析する機能を有する測定機と、便器及び前記測定機の双方に取り付けられ、前記測定機に送出される尿を採取する採尿器とを備えると共に、前記採尿器は、尿を採取する採尿皿と前記採尿皿を移動させる採尿アームと前記採尿器を便器に係止する取付部を有し、前記測定機と前記採尿器とを着脱可能に接続する連結機構を前記取付部と測定機の間に設けたことを特徴とするので、使用者の採尿動作およびトイレの実使用によって採尿器が汚染された場合に、使用者に手間と費用に関する大きな負担を課すことなく採尿器を容易に交換可能とし、排泄物の測定精度と使用者の動作信頼性を確保しつつ、使用者に手間と費用に関する大きな負担を課すことがない。また、同一の採尿器を使用して、複数の種類の測定機を交換取付することが可能である。
【図面の簡単な説明】
【図１】  本発明の第一の実施例における排泄物測定装置を示す斜視図である。
【図２】  本発明の第一の実施例における採尿器の着脱構造を示す平面図である。
【図３】  本発明の第二の実施例における採尿器の着脱構造を示す平面図である。
【符号の説明】
１  便器
１−ａ  便器リム
２  採尿器
２−ａ  取付部
２−ｂ  採尿アーム
２−ｃ  採尿皿
２−ｄ  回動中心
３  回動部
４  支持部材
５  測定機
６  レール機構
７  調節機構
８  操作つまみ
９  着脱機構
【手続補正２】
【補正対象書類名】図面
【補正対象項目名】図２
【補正方法】変更
【補正の内容】
【図２】
2001356123.tif 000001
【手続補正３】
【補正対象書類名】図面
【補正対象項目名】図３
【補正方法】変更
【補正の内容】
【図３】
2001356123.tif 000002